(57)【要約】【課題】表示データの変化頻度の相違による表示濃度のバラツキを低減し、表示品質を常に良好に維持できるようにする。【解決手段】電気泳動型の表示パネル１０の帯電粒子を挟んで対向する共通電極ＣＯＭと各セグメント電極ＳＥＧとの間に、駆動回路２の各セグメントドライバ３によって、表示データに対応する駆動電圧を印加するための駆動期間と、その駆動電圧の印加を止めて表示データに対応する表示状態を維持するための表示期間と、駆動期間の前に駆動電圧と反対極性の反転電圧を印加するための反転期間とからなる駆動波形の電圧を印加して表示を行う。その各セグメントドライバ３は、各セグメント毎に表示データが変化したときに、上記駆動電圧あるいは反転電圧のパルス幅またはパルス高さを、それまでの表示データが変化しなかった白又は黒保持期間の長短によって異ならせる。【選択図】        図９
2008158243.tif 000002
【特許請求の範囲】
【請求項１】
対向する面にそれぞれ電極を有する一対の基板間に帯電粒子が封入され、前記一対の基板の電極間に印加される電圧の極性に応じて前記帯電粒子が電気泳動により移動して表示を行う表示パネルと、
前記電極間に、表示データに対応する駆動電圧を印加するための駆動期間と、該駆動電圧の印加を止めて前記表示データに対応する表示状態を維持するための表示期間と、前記駆動期間の前に前記駆動電圧と反対極性の反転電圧を印加するための反転期間とからなる駆動波形の電圧を生成し、該電圧を前記電極間に印加して前記表示パネルを駆動する駆動回路とを備え、
該駆動回路は、表示データが変化しない期間を測定する測定手段と、該表示データが変化したときに前記電極間に印加する電圧の前記駆動波形における前記駆動電圧あるいは反転電圧のパルス幅またはパルス高さを、前記測定手段によって計測された表示データが変化しなかった期間の長さによって異ならせる波形変更手段とを有することを特徴とする表示装置。
【請求項２】
前記波形変更手段は、前記測定手段によって計測された表示データが変化しなかった期間の長さが所定期間以上の場合には、該所定期間未満の場合に比べて、前記駆動電圧のパルス幅を短くする手段であることを特徴とする請求項１に記載の表示装置。
【請求項３】
前記波形変更手段は、前記測定手段によって計測された表示データが変化しなかった期間の長さが所定期間以上の場合には、該所定期間未満の場合に比べて、前記駆動電圧のパルス高さを小さくする手段であることを特徴とする請求項１に記載の表示装置。
【請求項４】
前記波形変更手段は、前記測定手段によって計測された表示データが変化しなかった期間の長さが所定期間以上の場合には、該所定期間未満の場合に比べて、前記反転電圧のパルス幅を長くする手段であることを特徴とする請求項１に記載の表示装置。
【請求項５】
前記波形変更手段は、前記測定手段によって計測された表示データが変化しなかった期間の長さが所定期間以上の場合には、該所定期間未満の場合に比べて、前記反転電圧のパルス高さを大きくする手段であることを特徴とする請求項１に記載の表示装置の駆動方法。
【請求項６】
前記波形変更手段は、表示データの変化の有無と変化が白から黒か、黒から白か、及び表示データが変化しなかった期間の長短とに応するそれぞれ異なる駆動波形のデータを記憶し、それを選択的に読み出す波形記憶・読出部と、
現在表示中の表示データと次に表示する表示データと前記測定手段によって計測された表示データが変化しなかった期間の長さとによって、前記駆動波形を選択して前記波形記憶・読出部に該選択した駆動波形のデータを読み出させる波形選択部と
を有することを特徴とする請求項１から５のいずれか一項に記載の表示装置。
【請求項７】
前記表示パネルは、前記一対の基板のうち一方の基板の電極が複数のセグメント電極であり、他方の基板の電極が前記複数のセグメント電極の全てと対向する一つの共通電極であり、
前記駆動回路は、前記共通電極と前記複数の各セグメント電極との間にそれぞれ各表示データに応じた前記駆動波形の電圧を印加する各セグメント電極毎に設けたセグメントドライバからなり、その各セグメントドライバ毎に前記測定手段と前記波形変更手段を有することを特徴とする請求項１から６のいずれか一項記載の表示装置。
【発明の詳細な説明】
【技術分野】
【０００１】
この発明は、帯電粒子の電気泳動を利用した電気泳動型の表示パネルとその駆動回路とを備えた表示装置に関する。
【背景技術】
【０００２】
薄型の表示装置としては、液晶表示装置が各種の電子機器に広く使用されており、近年ではコンピュータやテレビジョン等の大型カラーディスプレイとしても使用されるようになっている。テレビジョンの大型カラーディスプレイとしては、プラズマディスプレイも使用されている。
しかし、液晶表示装置やプラズマディスプレイはＣＲＴ表示器に比べれば格段に薄型になったとはいえ、まだ用途によっては充分に薄くはないし、曲げることは出来ない。また、携帯機器のディスプレイとして使用する場合には消費電力の一層の低減が望まれる。
【０００３】
そこで、一層の薄型化と低消費電力化を実現する表示装置として、電気泳動表示素子を用いた電子ペーパーとも称される表示パネルが開発され、電子ブックや電子新聞、電子広告看板や案内表示板などへの利用が試みられている。
この電気泳動表示素子を用いた表示パネル（表示装置）は、例えば特許文献１に見られるように、対向する面にそれぞれ電極を有する一対の基板間に帯電粒子が封入された画像表示層を設け、その一対の基板の電極間に印加される電圧の極性に応じて帯電粒子が電気泳動により移動して表示を行うように構成されている。
【特許文献１】特開２００５−１５６７５９号公報
【０００４】
その画像表示層は、異なる極性に帯電した白色粒子と黒色粒子及びそれらを分散する分散媒を収容した直径数十μｍのマイクロカプセル（電子インク）による表示層であり、それを挟む電極間に発生する電界の向きに応じて、マイクロカプセル内の白色粒子と黒色粒子が電気泳動していずれか一方が表面側に集まり、白又は黒を表示する。そして、一度電界を与えて表示状態にすると、電界を印加しなくてもその表示状態を維持する不揮発性（メモリー性）を有するので、最初の表示時と表示内容を変えたり消去する時だけ電界を印加すればよいので、大幅な省電力化が可能である。
【０００５】
その表示パネルにおける一対の基板の一方の基板の電極は複数のセグメント電極からなり、他方の基板の電極は全てのセグメント電極と対向する共通電極（コモン電極）である。
この表示パネルを駆動して所望のパターンを表示させようとする場合、白表示から黒表示へ変化させたいセグメント電極へは、それぞれ共通電極に印加される電位に対して正の電圧を印加し、黒表示から白表示へ変化させたいセグメント電極へは、それぞれ共通電極に印加される電位に対して負の電圧を印加し、変化させないセグメント電極は、共通電極に印加される電位と同電位にしていた。
【０００６】
そこで、このような表示パネルの共通電極と各セグメント電極との間に電圧を印加するための駆動回路としては、出力電圧が−Ｖ、０ｖ、＋Ｖの３値をとるものが一般的である。このような駆動を「３値駆動」と称する。この３値駆動においては、 共通電極は常時０ｖにしておき、セグメント電極は、白表示から黒表示へ変化させたい場合は＋Ｖに、黒表示から白表示へ変化させたい場合は−Ｖに、変化させない場合は０ｖにする。
【０００７】
図１４は、その駆動回路による従来の駆動方法によって表示パネルの共通電極ＣＯＭと各セグメント電極ＳＥＧとに印加する電圧の駆動波形の例を示す図であり、その駆動波形は、上記電極間に、表示データ（白又は黒のデータ）に対応する駆動電圧を印加するための駆動期間Ｔｂと、その駆動電圧の印加を止めて表示データに対応する表示状態を維持するための表示期間Ｔｃと、その駆動期間Ｔｂの前に駆動電圧と反対極性の反転電圧を印加するための反転期間Ｔａ（Ｔａ＜Ｔｂ）の３つの期間で構成されている。
そして、共通電極ＣＯＭは、反転期間Ｔａ、駆動期間Ｔｂ、及び表示期間Ｔｃの全期間に亘って、常に０ｖの接地電位に保っている。
【０００８】
一方、セグメント電極ＳＥＧには、そのセグメントによって表示させる前回と今回の表示データの状態によって図１４の（１）〜（３）の異なる駆動波形の電圧を印加する。前回と今回の表示データが変化せず同じ（白→白又は黒→黒）場合は、（１）に示すように、全期間に亘って常に０ｖの駆動波形となる。前回が白で今回が黒に変化した場合には、（２）に示すように、反転期間Ｔａには−Ｖ、駆動期間Ｔｂには＋Ｖ、表示期間Ｔｃには０ｖとなる駆動波形の電圧を印加する。また、前回が黒で今回が白に変化した場合には、（３）に示すように、反転期間Ｔａには＋Ｖ、駆動期間Ｔｂには−Ｖ、表示期間Ｔｃには０ｖとなる駆動波形の電圧を印加する。ここで、＋Ｖと−Ｖとは絶対値が同じ値で極性が０ｖに対して正と負の電圧である。
【０００９】
このような駆動方法によれば、どのような場合でも表示期間Ｔｃでは全ての電極に０ｖを印加する。しかし、表示パネルの帯電粒子が封入された表示層はメモリー性を持つため、セグメントの表示状態は変化せず、駆動期間で書き込んだ表示状態を保持する。表示データが変化しない間は、そのまま共通電極ＣＯＭとセグメント電極ＳＥＧに印加する電圧をいずれも０ｖにし続けるが、その表示状態は保存される。この表示期間Ｔｃは数秒から数時間、あるいは数ヶ月も継続する場合もある。
【発明の開示】
【発明が解決しようとする課題】
【００１０】
しかしながら、上記のような表示パネルを設けた表示装置で、表示データが変わらずに電極間への電圧無印加状態が続くと、表示層における帯電粒子に僅かながら自由な流動が生じて、白又は黒の表示濃度（光反射率）が変化して灰色に近づく傾向があり、表示のコントラストが低下する。そのため、表示データが白から黒に変わったときには、図１４の（２）に示すように、セグメント電極ＳＥＧに反転期間Ｔａで先ず反転電圧−Ｖを印加して一旦正規の白表示状態に戻してから、駆動期間Ｔｂ（Ｔａ＜Ｔｂ）の間表示データに対応する電圧＋Ｖを印加して黒表示状態にしている。同様に、表示データが黒から白に変わったときには、図１４の（３）に示すように、セグメント電極ＳＥＧに反転期間Ｔａで先ず反転電圧＋Ｖを印加して一旦正規の黒表示状態に戻してから、駆動期間Ｔｂの間表示データに対応する電圧−Ｖを印加して白表示状態にしている。
【００１１】
しかし、表示データが変化するまでに変化前の表示状態が継続した時間、すなわち白保持期間又は黒保持期間の長さによって、白表示又は黒表示の灰色化の度合いが異なるため、反転期間Ｔａにおけるパルス波形の反転電圧の印加によって常に同じ表示状態に戻るわけではなく、その後の駆動期間Ｔｂにおける表示データに対応する電圧の印加による白又は黒の表示濃度に差が生じてしまう。それが累積していくと、セグメント毎に表示データの変化頻度による表示濃度のバラツキが目立つようになり、表示品質が劣化する。
【００１２】
この発明はこのような問題を改善するためになされたものであり、上記のような電気泳動型の表示装置において、表示データの変化頻度の相違による表示濃度のバラツキを低減し、表示品質を常に良好に維持できるようにすることを目的とする。
【課題を解決するための手段】
【００１３】
この発明による表示装置は、対向する面にそれぞれ電極を有する一対の基板間に帯電粒子が封入され、前記一対の基板の電極間に印加される電圧の極性に応じて前記帯電粒子が電気泳動により移動して表示を行う表示パネルと、
前記電極間に、表示データに対応する駆動電圧を印加するための駆動期間と、その駆動電圧の印加を止めて表示データに対応する表示状態を維持するための表示期間と、その駆動期間の前に上記駆動電圧と反対極性の反転電圧を印加するための反転期間とからなる駆動波形の電圧を生成し、その電圧を上記電極間に印加して上記表示パネルを駆動する駆動回路とを備えている。
その駆動回路は、上記の目的を達成するため、表示データが変化しない期間を測定する測定手段と、表示データが変化したときに上記電極間に印加する電圧の上記駆動波形における上記駆動電圧あるいは反転電圧のパルス幅またはパルス高さを、上記測定手段によって計測された表示データが変化しなかった期間の長さによって異ならせる波形変更手段とを有することを特徴とする。
【００１４】
この表示装置の駆動回路における上記波形変更手段は、次のいずれかの手段であるとよい。
上記測定手段によって計測された表示データが変化しなかった期間の長さが所定期間以上の場合には、該所定期間未満の場合に比べて、上記駆動電圧のパルス幅を短くする。
上記測定手段によって計測された表示データが変化しなかった期間の長さが所定期間以上の場合には、該所定期間未満の場合に比べて、上記駆動電圧のパルス高さを小さくする。
上記測定手段によって計測された表示データが変化しなかった期間の長さが所定期間以上の場合には、該所定期間未満の場合に比べて、上記反転電圧のパルス幅を長くする。
上記測定手段によって計測された表示データが変化しなかった期間の長さが所定期間以上の場合には、該所定期間未満の場合に比べて、上記反転電圧のパルス高さを大きくする。
【００１５】
その波形変更手段は、表示データの変化の有無と変化が白から黒か、黒から白か、及び表示データが変化しなかった期間の長短とに対応するそれぞれ異なる駆動波形のデータを記憶し、それを選択的に読み出す波形記憶・読出部と、
現在表示中の表示データと次に表示する表示データと上記測定手段によって計測された表示データが変化しなかった期間の長さとによって、上記駆動波形を選択して上記波形記憶・読出部に該選択した駆動波形のデータ読み出させる波形選択部とを有するようにするとよい。
【００１６】
上記表示パネルが、上記一対の基板のうち一方の基板の電極が複数のセグメント電極であり、他方の基板の電極がその複数のセグメント電極の全てと対向する一つの共通電極である場合には、上記駆動回路は、その共通電極と複数の各セグメント電極との間にそれぞれ各表示データに応じた駆動波形の電圧を印加する各セグメント電極毎に設けたセグメントドライバからなり、その各セグメントドライバ毎に上記測定手段と波形変更手段を有するようにすればよい。
【発明の効果】
【００１７】
この発明による表示装置によれば、表示データが変化したときに帯電粒子を挟む電極間に印加する電圧の上記駆動波形における駆動電圧あるいは反転電圧のパルス幅またはパルス高さを、表示データが変化しなかった期間の長さによって異ならせることにより、表示データが変化しなかった期間の長短によって、変化後に表示する白又は黒の表示濃度にバラツキが生じるのを少なくして、表示品質を常に良好に維持することができる。
【発明を実施するための最良の形態】
【００１８】
以下、この発明を実施するための最良の形態を図面に基づいて具体的に説明する。
図１から図４は、それぞれこの発明による表示装置の駆動回路により表示パネルの共通電極とセグメント電極とに印加する電圧の駆動波形の異なる例を示す図である。この各波形例の説明に先立って、図５から図８によって、その駆動対象である電気泳動型の表示装置の表示パネルの構成について説明する。
【００１９】
〔表示パネルの説明〕
図５はその表示パネルの一部を模式的に示す断面図であり、図６はその表示原理を説明するための電気泳動表示素子の拡大断面図である。このような表示パネルは、前述の特許文献１にも開示されているように公知のものである。
図５に示す表示パネル１は、透明な樹脂基板１１の裏面全体にＩＴＯ（酸化インジューム錫）膜による透明な共通電極（コモン電極）１２を形成し、その上に電子インクとも称されるマイクロカプセル表示層１３を形成してフィルム状にしている。そのフィルムを表面に画素毎のセグメント電極１６が形成されたフレキシブルプリント基板１５上に接着剤層１４によって接着して構成されている。
【００２０】
マイクロカプセル表示層１３は、バインダや界面活性剤、増粘剤、純水等の混合体中に直径が数十μｍ程度の微小なマイクロカプセル２０が多数分散している。そのマイクロカプセル２０は、図６に示すように、透明なメタクリル樹脂等からなるカプセル殻２１の内部に、酸化チタン等からなる白色粒子２３とカーボンブラック等からなる黒色粒子２４が、シリコーンオイル等の粘性の高い透明な分散媒２２に分散された状態で封入されている。そして、白色粒子２３は負に帯電され、黒色粒子２４は正に帯電されている。
【００２１】
そこで、このマイクロカプセル表示層１３を挟むように配置された電極のうち、一方の全面一体の共通電極１２を接地し、他方のフレキシブルプリント基板１５上のセグメント電極１６に負電圧を印加した部分では、その電界によってマイクロカプセル２０内の負に帯電した白色粒子２３が透明な共通電極１２側へ、正に帯電した黒色粒子２４はセグメント電極１６側へ移動するので、視認側（図６の上方）から見ると白く見える。一方、セグメント電極１６に正電圧を印加した部分では、その逆向きの電界によってマイクロカプセル２０内の正に帯電した黒色粒子２４が透明な共通電極１２側へ、負に帯電した白色粒子２３はセグメント電極１６側へ移動するので、視認側から見ると黒く見える。
【００２２】
図６における中央のマイクロカプセル２０のように、負電圧が印加されたセグメント電極と正電圧が印加されたセグメント電極とに跨った位置のマイクロカプセル２０内では、白色粒子２３の一部は共通電極１２側へ、残りはセグメント電極１６側へ移動し、黒色粒子２４の一部はセグメント電極１６側へ移動し、残りは共通電極１２側へ移動するので、マイクロカプセルの直径よりも、細かい表示も可能である。
【００２３】
したがって、共通電極１２とセグメント電極１６との間に印加する電圧の極性によって、白又は黒に表示状態を変化させることができる。このとき白色粒子２３と黒色粒子２４は分散媒２２中を電気泳動によって移動するが、分散媒２２の粘度が高いので、電圧を印加して表示状態を変化させた後、その電圧の印加を停止してもその表示状態を保持するメモリー性効果を持つ。そのため、表示を変化させる時だけ駆動電圧を印加すればよいので、電力消費量が極く僅かですむ。
【００２４】
図７は、このような表示パネルで数字等のキャラクタを表示するようにした例を示す平面図である。この表示パネル１０は、セグメント０〜６から成るセブンセグメントキャラクタＳＣを１桁表す表示体で構成する。この表示パネル１０の図７に示す各セグメントに付した０〜６の数字は、セグメント０〜６に対応している。また、そのセグメント０〜６の周囲領域ＢＧはセブンセグメントキャラクタＳＣの背景領域を表している。
【００２５】
この表示パネル１０は電極として１個の共通電極ＣＯＭと８個のセグメント電極を有している。この８個のセグメント電極とは、セグメント０からセグメント６に対応するセグメント電極ＳＥＧ０からＳＥＧ６および背景に対応するセグメント電極ＢＧである。表示パネル１０の下部より出ている９本の線はそれぞれ、コモン電極および８個のセグメント電極に接続されたリード線であり、コモン電極に接続されたリード線はＣＯＭ、セグメント０に対応するセグメント電極のリード線はＳＥＧ０、セグメント１に対応するセグメント電極のリード線はＳＥＧ１、と順にそれぞれ対応する電極の名称を付してある。そして、それぞれのリード線は順に図示されていない外部の駆動回路へ接続する。
【００２６】
図８は、図７に示した表示パネル１０を（Ａ）の数字「２」を表示した状態から（Ｂ）の数字「３」を表示する状態へ変化させる場合の説明図である。初期の（Ａ）の表示状態では、セグメント０，１，３，４および６が黒であり、セグメント２，５および背景が白である。変化後の（Ｂ）の表示状態では、セグメント０，１，２，３および６が黒となり、セグメント４，５および背景が白となる。
【００２７】
このように表示状態を変化させるには、図１４で説明したように共通電極は常に０ｖにし、セグメント５および背景は白表示のまま、セグメント０、１、３および６は黒表示のままで変化しないので、これらのセグメント電極には図１４の（１）に示した全期間に亘って０ｖの駆動波形の電圧を印加する。したがって、これらのセグメント電極と共通電極との間に印加される電圧は０ｖであるが、前述したようにマイクロカプセル表示層はメモリ性を有するため、前回の表示状態をそのまま保持する。セグメント２は白表示から黒表示に変化するので、そのセグメント電極には図１４の（２）に示した駆動波形の駆動期間で＋Ｖになる電圧を印加し、セグメント４は黒表示から白表示に変化するので、そのセグメント電極には図１４の（３）に示した駆動期間で−Ｖになる駆動波形の電圧を印加する。
【００２８】
このようにして、表示データに応じて表示パネル１０のセブンセグメントキャラクタＳＣを構成する各セグメントの表示を変化させる際に、図１４の（２）又は（３）に示した駆動波形の電圧をそのセグメント電極に印加して、数字や英文字あるいは記号などを順次表示させることができる。
しかし、前述したように表示が変化しないセグメントのセグメント電極に印加される電圧は共通電極と同じ０ｖのままで、マイクロカプセル表示層のメモリ性によって前に変化した時の表示状態を保持しているので、僅かずつではあるがその表示濃度が変化して灰色に近づくため、その期間が長くなると、その後そのセグメントの表示が変化したときに、図１４の（２）又は（３）に示した駆動波形の電圧をそのセグメント電極に印加しても、正規の黒又は白の濃度の表示がなされなくなって表示品質が低下する。
【００２９】
〔この発明の表示装置による駆動方法〕
この発明の表示装置による表示パネルの駆動方法は、このような表示品質の低下を改善するための駆動方法であり、表示データが変化したときに、表示パネルにおいてその表示データを表示する部分の電極間に印加する電圧の駆動波形における駆動電圧あるいは反転電圧のパルス幅またはパルス高さを、その部分の表示データがその時までに変化しなかった保持期間の長さによって異ならせる。
そのため、この発明による表示装置の後述する駆動回路によって生成する種々の駆動波形の例を、図１４と同様に表示パネルの共通電極とセグメント電極とに印加する電圧の駆動波形を示す図１から図４によって説明する。
【００３０】
図１から図４に示す駆動波形は、例えば図５及び図６に示した表示パネル１の共通電極１２とセグメント電極１６に相当する図７に示した表示パネル１０の共通電極ＣＯＭとセグメント電極ＳＥＧ０〜ＳＥＧ６のいずれか（以下「ＳＥＧ」とする）に印加する電圧の駆動波形である。その各駆動波形は、共通電極ＣＯＭとセグメント電極ＳＥＧの間に、表示データ（白又は黒のデータ）に対応する駆動電圧を印加するための駆動期間Ｔｂと、その駆動電圧の印加を止めて表示データに対応する表示状態を維持するための表示期間Ｔｃと、その駆動期間Ｔｂの前に駆動電圧と反対極性の反転電圧を印加するための反転期間Ｔａの３つの期間で構成されている。
【００３１】
そして、いずれの波形例においても、共通電極ＣＯＭに印加する電圧は、反転期間Ｔａ、駆動期間Ｔｂ、及び表示期間Ｔｃの全期間に亘って、常に０ｖの接地電位である。
また、前回と今回の表示データが変化せず同じ（白→白又は黒→黒）場合にそのセグメントのセグメント電極ＳＥＧに印加する電圧の駆動波形も、（１）に示す駆動波形ａのように全期間に亘って０ｖの接地電位である。表示データが変化した場合でも表示期間Ｔｃにセグメント電極ＳＥＧに印加する電圧は全て０ｖである。
しかし、表示データが変化したセグメントのセグメント電極ＳＥＧに印加する電圧の駆動波形は、各波形例によって異なっている。
【００３２】
図１に示す第１の波形例では、表示データが変化したセグメントのセグメント電極ＳＥＧに印加する電圧の駆動波形における駆動期間Ｔｂに印加する駆動電圧のパルス幅を、それまでに表示データが変化しなかった保持期間の長さによって異ならせている。
すなわち、前回が白で今回が黒に変化した場合、それまでの白保持期間が予め設定した期間未満であった（白保持期間短）ときには、図１の（２）に示す駆動波形ｂのように、反転期間Ｔａにはその期間と同じパルス幅の反転電圧−Ｖを、駆動期間Ｔｂにはその全期間と同じパルス幅の駆動電圧＋Ｖを印加するが、それまでの白保持期間が予め設定した期間以上（白保持期間長）のときには、（３）に示す駆動波形ｃのように、反転期間Ｔａにはその期間と同じパルス幅の反転電圧−Ｖを、駆動期間Ｔｂにはその全期間より短い（例えば２／３程度の）パルス幅の動電圧＋Ｖを印加する。
【００３３】
また、前回が黒で今回が白に変化した場合、それまでの黒保持期間が予め設定した期間未満であった（黒保持期間短）ときには、図１の（４）に示す駆動波形ｄのように、反転期間Ｔａにはその期間と同じパルス幅の反転電圧＋Ｖを、駆動期間Ｔｂにはその全期間と同じパルス幅の動電圧−Ｖを印加するが、それまでの黒保持期間が予め設定した期間以上（黒保持期間長）のときには、（５）に示す駆動波形ｅのように、反転期間Ｔａにはその期間と同じパルス幅の反転電圧−Ｖを、駆動期間Ｔｂにはその全期間より短い（例えば２／３程度の）パルス幅の駆動電圧−Ｖを印加する。
【００３４】
表示が白から黒に変化する場合、それまでの白保持期間が長いと白表示の濃度が幾分灰色化しているため、短い反転期間に反転電圧−Ｖを印加しても表示濃度が正規の白レベルにまで復帰しなくなる。そのため、駆動期間に印加する駆動電圧＋Ｖのパルス幅を短くしても表示濃度が正規の黒レベルになる。従来のように、このときにも駆動期間の全期間と同じパルス幅の駆動電圧＋Ｖを印加すると、表示濃度が正規の黒レベル以上に暗くなり過ぎてしまう。
【００３５】
表示が黒から白に変化する場合、それまでの黒保持期間が長いと黒表示の濃度が幾分灰色化しているため、短い反転期間に反転電圧＋Ｖを印加しても表示濃度が正規の黒レベルにまで復帰しなくなる。そのため、駆動期間に印加する駆動電圧−Ｖのパルス幅を短くしても表示濃度が正規の白レベルになる。従来のように、このときにも駆動期間の全期間と同じパルス幅の駆動電圧−Ｖを印加すると、表示濃度が正規の白レベル以上に明るくなり過ぎてしまう。
【００３６】
図２に示す第２の波形例において、前述した第１の波形例と相違するのは、セグメント電極ＳＥＧに印加する電圧の駆動波形のうち、表示データが白から黒に変化し、白保持期間が長かった場合の（３）に示す駆動波形ｃの駆動期間Ｔｂにおける駆動電圧が＋（Ｖ−α）であることと、表示データが黒から白に変化し、黒保持期間が長かった場合の（５）に示す駆動波形ｅの駆動期間Ｔｂにおける駆動電圧が−（Ｖ−α）であることである。
いづれの場合も、駆動電圧のパルス幅は駆動期間Ｔｂと同じであり、（２）の駆動波形ｂ及び（４）の駆動波形ｄとも同じであるが、そのパルス高さ（電圧値）を駆動波形ｂ及びｄの駆動電圧のパルス高さよりαだけ小さくしている。
このようにしても、白保持期間が長かった後の黒表示、および黒保持期間が長かった後の白表示の濃度をそれぞれ正規の黒レベルおよび白レベルにすることができる。
【００３７】
図３に示す第３の波形例においては、前述した第１の波形例の場合よりも反転期間Ｔａを長くしているが、セグメント電極ＳＥＧに印加する電圧の駆動波形のうち、表示データが白から黒に変化し、白保持期間が短かった場合の（２）に示す駆動波形ｂと、表示データが黒から白に変化し、黒保持期間が短かった場合の（４）に示す駆動波形ｄは、反転期間Ｔａにおける反転電圧のパルス幅およびパルス高さも、駆動期間Ｔｂにおける駆動電圧のパルス幅およびパルス高さも、図１の（２）及び（４）に示した駆動波形ｂ、ｄと同じである。
【００３８】
しかし、表示データが白から黒に変化し、白保持期間が長かった場合の（３）に示す駆動波形ｃの反転期間Ｔａにおける反転電圧−Ｖのパルス幅を駆動波形ｂの場合の２倍程度に長くし、表示データが黒から白に変化し、黒保持期間が長かった場合の（５）に示す駆動波形ｅの反転期間Ｔａにおける反転電圧＋Ｖのパルス幅を駆動波形ｄの場合の２倍程度に長くしている。
【００３９】
このようにすると、白保持期間が長かった後に黒表示する場合でも、その直前の反転期間Ｔａにおいて、パルス幅の長い反転電圧−Ｖを印加することによって一旦正規の白レベルに戻してから、駆動期間Ｔｂに所定のパルス幅およびパルス高さの駆動電圧＋Ｖを印加することによって黒表示の濃度を正規の黒レベルにすることができる。
また、黒保持期間が長かった後に白表示する場合でも、駆動波形ｅによりその直前の反転期間Ｔａにおいて、パルス幅の長い反転電圧＋Ｖを印加することによって一旦正規の黒レベルに戻してから、駆動期間Ｔｂに所定のパルス幅およびパルス高さの駆動電圧−Ｖを印加することによって、白表示の濃度を正規の白レベルにすることができる。
【００４０】
図４に示す第の波形例において、前述した第１の波形例と相違するのは、セグメント電極ＳＥＧに印加する電圧の駆動波形のうち、表示データが白から黒に変化し、白保持期間が長かった場合の（３）に示す駆動波形ｃの反転期間Ｔａにおける反転電圧を−（Ｖ＋α）にしてそのパルス高さを、白保持期間が短かった場合の（２）に示す駆動波形ｂの反転電圧−Ｖのパルス高さよりαだけ大きくし、表示データが黒から白に変化し、白保持期間が長かった場合の（５）に示す駆動波形ｅの反転期間Ｔａにおける反転電圧を＋（Ｖ＋α）にしてそのパルス高さを、黒保持期間が短かった場合の（４）に示す駆動波形ｄの反転電圧＋Ｖのパルス高さよりαだけ大きくした点である。
【００４１】
このようにしても、白保持期間が長かった後に黒表示する場合には、その直前の反転期間Ｔａにおいて、パルス高さの大きい反転電圧−（Ｖ＋α）を印加することによって一旦正規の白レベルに戻してから、駆動期間Ｔｂに所定のパルス幅およびパルス高さの駆動電圧＋Ｖを印加することによって黒表示の濃度を正規の黒レベルにすることができる。
また、黒保持期間が長かった後に白表示する場合でも、駆動波形ｅによりその直前の反転期間Ｔａにおいて、パルス高さの大きい反転電圧＋（Ｖ＋α）を印加することによって一旦正規の黒レベルに戻してから、駆動期間Ｔｂに所定のパルス幅およびパルス高さの駆動電圧−Ｖを印加することによって、白表示の濃度を正規の白レベルにすることができる。
【００４２】
上述の各波形例において、電圧（電位）＋Ｖ，−Ｖ，＋αを、例えばそれぞれ＋１ｖ，−１ｖ，＋０．３ｖに設定することができる。しかし、これらの電圧値や、第１の実施形態で駆動電圧のパルス幅を短くする割合、および第３の実施形態で反転電圧のパルス幅を長くする割合は、液晶パネルの特性や白または黒保持期間の長／短を区別する保持期間の設定値などの条件によって適切な値に設定する。また、白または黒保持期間を３段階以上に判別して、これらの値を３段階以上に異ならせるようにしてもよい。
【００４３】
〔この発明による表示装置の実施形態〕
次に、この発明による表示装置の実施形態を図９から図１２によって説明する。
図９はその表示装置の一実施形態の構成を示すブロック図である。この表示装置は表示パネル１０とその駆動回路２とによって構成されている。さらに、表示データを順次駆動回路２に入力させ、スタート信号ＳＴＡＲＴ、クロック信号ＣＬＫ、およびラッチ信号ＬＡＴＣＨを生成して入力させる制御回路と、正電圧＋Ｖと負電圧−Ｖを駆動回路２に供給する電源回路等も設けられているが、特別な回路ではないので図示を省略している。
【００４４】
表示パネル１０は、例えば図７に示したようなセブンセグメントキャラクタＳＣを構成する複数のセグメント電極ＳＥＧと、一面の共通電極ＣＯＭとが、図示していない帯電粒子を封入した表示層を挟んで対向している表示パネルである。これは図５に示した表示パネル１であってもよく、その場合は共通電極１２と多数のセグメント電極１６を備えており、図９では基板１１，１５やマイクロカプセル表示層１３は図示を省略している。
【００４５】
駆動回路２は、この表示パネル１０を駆動して入力された表示データに対応する表示を行わせる回路であり、表示パネル１０のセグメント電極ＳＥＧの数と同数のセグメントドライバ３によって構成されている。その各セグメントドライバ３は、それぞれ図１から図４によって説明した駆動波形の電圧を表示データに応じて生成し、表示パネル１０の対応するセグメント電極ＳＥＧに印加する。表示パネル１０の共通電極ＣＯＭは接地されており、常に０ｖの接地電位になっている。したがって、共通電極ＣＯＭと各セグメント電極ＳＥＧとの間の表示層には、セグメント電極ＳＥＧに印加される電圧の極性と大きさの電圧が印加され、その極性によって白または黒を表示する。
【００４６】
各セグメントドライバ３は、例えば図１０に示すように構成する。この図１０に示すセグメントドライバ３は、シフトレジスタ３１と波形データ生成部３５と駆動部（電圧波形生成部）３９とからなる。
【００４７】
シフトレジスタ３１は、現表示データ部３２、次表示データ部３３、および表示データ入力バッファ３４として機能し、新たな表示データ（黒：１又は白：０）は、表示データ入力バッファ３４に入力され、ラッチ信号ＬＡＴＣＨが入力する度に表示データ入力バッファ３４に格納していた表示データを次表示データ部３３へ送り、次表示データ部３３に格納されていた表示データを現表示データ部３２へ送ってそこにラッチする。
ラッチ信号ＬＡＴＣＨは、後述するスタート信号ＳＴＡＲＴの直前あるいはそれより前の表示期間Ｔｃ中に入力する。
【００４８】
波形データ生成部３５は、カウンタ３６と波形選択部３７と波形記憶・読出部３８からなる。カウンタ３６は、表示更新周期ごとにその最初に入力されるスタート信号ＳＴＡＳＲＴをカウントして、そのカウント値が予め設定された値（例えば「３」）未満の間は出力を“０”にし、設定された値以上になると出力を“１”にする。この出力が白表示又は黒表示が継続した期間の長短を示す保持期間信号Ｔｈである。そして、表示テータが変化すると、波形選択部３７からリセット信号Ｒｓが出力されてこのカウンタ３６のリセット端子に入力し、そのカウント値をリセットする。したがって、このカウンタ３６が表示テータが変化しない期間を測定する測定手段の機能を果たす。
【００４９】
波形選択部３７は、現表示データ部３２の現在表示中の表示データＤＡ（黒：１又は白：０）と次表示データ部３３の次に表示する表示データＤＢ（黒：１又は白：０）を入力し、両データＤＡとＤＢが同じ（ＤＡ＝ＤＢ＝０又はＤＡ＝ＤＢ＝１）か、白から黒に変わる（ＤＡ＝０，ＤＢ＝１）か、黒から白に変わる（ＤＡ＝１，ＤＢ＝０）かを判別し、カウンタ３６からの保持期間信号Ｔｈを考慮して、次の表示更新周期でセグメント電極ＳＥＧに印加する電圧の駆動波形として、例えば図１に示したａ〜ｅの波形のいずれかを選択し、その波形選択信号を波形記憶・読出部３８へ送る。その具体的な実施例は後述する。
【００５０】
駆動波形ａ〜ｅの選択条件は、例えば図１の（１）〜（５）によって説明した駆動方法の第１の波形例に基づくようにする。しかし、この駆動波形ａ〜ｅ及びその選択条件は、図２、図３、図４によって説明した駆動方法の第２、第３、第４の波形例のいずれかに基づくようにしてもよい。
現表示データＤＡと次表示データＤＢとがＤＡ＝ＤＢではなくなると、保持期間信号Ｔｈを読み込んだ後、リセット信号Ｒｓを発生してカウンタ３６をリセットさせる。
【００５１】
波形記憶・読出部３８は、予め外部から駆動波形ａ〜ｅのデータを書き込まれて記憶しており、波形選択部３７から波形選択信号が入力されると、その選択された駆動波形のデータのみを読み出し可能にし、次のスタート信号ＳＴＡＲＴが入力すると動作の基準となるクロック信号ＣＬＫに同期してその駆動波形のデータＤｓを順に読み出して駆動部３９へ送出する。この駆動波形ａ〜ｅのデータは、図１又は図３に示した例による場合には電圧＋Ｖ，０ｖ，−Ｖに対応する３値のデータであり、図２又は図３に示した例による場合には電圧＋Ｖ，＋（Ｖ−α）、０ｖ，−（Ｖ−α），−Ｖに対応する５値のデータである。
【００５２】
したがって、波形選択部３７と波形記憶・読出部３８とによって、表示データが変化したときに、表示パネルの共通電極とセグメント電極との間に印加する電圧の図１〜図４に示した駆動波形における駆動期間Ｔｂの駆動電圧あるいは反転期間Ｔａの反転電圧のパルス幅またはパルス高さ（電圧値）を、測定手段であるカウンタ３６によって計測された表示データが変化しなかった期間の長さ（保持期間信号Ｔｈの値）によって異ならせる波形変更手段を構成している。
【００５３】
駆動部３９は、マルチプレクサ回路を備えており、電圧＋Ｖ，０ｖ，−Ｖが電源回路４０から供給され、必要により、さらに電圧＋（Ｖ−α）および−（Ｖ−α）も電源回路４０から供給して、スタート信号ＳＴＡＲＴの入力後、波形記憶・読出部３８から入力される駆動波形のデータＤｓをクロック信号ＣＬＫに同期して、選択された駆動波形ａ〜ｅのいずれかの電圧Ｖｓを図９に示した表示パネル１０の対応するセグメント電極ＳＥＧに印加する。
【００５４】
このようにして、例えば図１に示した駆動方法の第１の波形例で実施する場合には、表示データが変化したときに、それまでの白表示又は黒表示の保持期間が設定された期間より長かった場合には短かった場合よりも駆動期間Ｔｂに印加する駆動電圧のパルス幅を短くすることができる。
【００５５】
ここで、上述したセグメントドライバ３における波形選択部３７の具体的な実施例について説明する。
この波形選択部３７に、ＣＰＵ，ＲＯＭ，ＲＡＭ等からなり、演算・判別・処理機能を持つマイクロコンピュータを設け、波形選択機能をそのマイクロコンピュータによるソフトウエア処理で実現する場合の例を、図１１に示すフローチャートによって説明する。
【００５６】
図１０で説明したラッチ信号ＬＡＴＣＨの入力後、シフトレジスタ３１の各表示データのシフトが完了するまでの僅かな時間だけ遅らせて、マイクロコンピュータに図１に示す処理をスタートさせる。
そして、マイクロコンピュータはこの処理をスタートすると、先ずステップＳ１で現表示データ部３２から現在表示中の表示データＤＡを、次表示データ部３３から次に表示する表示データＤＢを、カウンタ３６から保持期間信号Ｔｈを、それぞれ内部のＲＡＭに読み込む。表示データＤＡ，ＤＢは、黒は“１”、白は“０”であり、保持期間信号Ｔｈは、表示データが白又は黒の保持期間が短（３回未満）のときは“０”、長（３回以上）の時は“１”とする。
【００５７】
その後、ステップＳ２でＤＡ＝ＤＢかを判断し、ＤＡ＝ＤＢであれば、前回と同じ表示を続けるので、ステップＳ７へ進んで波形ａを選択して処理を終了する。
ＤＡ＝ＤＢでなければ、次の表示データは現在の表示データと異なり、表示が変わるので、ステップＳ３でリセット信号を出力してカウンタをリセットした後、ステップＳ４でＤＡ＜ＤＢか否かを判断する。
【００５８】
その結果、ＤＡ＜ＤＢであれば白から黒に変化するので、ステップＳ５でＴｈ＝１か否かを判断し、Ｔｈ＝１でなければ保持期間が短かいので、ステップＳ８へ進んで波形ｂを選択し、Ｔｈ＝１であれば保持期間が長いので、ステップＳ９へ進んで波形ｃを選択して、それぞれ処理を終了する。
ＤＡ＜ＤＢでなければ黒から白に変化するので、ステップＳ６でＴｈ＝１かを判断し、Ｔｈ＝１でなければ保持期間が短かいので、ステップＳ１０へ進んで波形ｄを選択し、Ｔｈ＝１であれば保持期間が長いので、ステップＳ１１へ進んで波形ｅを選択して、それぞれ処理を終了する。
【００５９】
このようにすれば、安価なワンチップのマイクロコンピュータによる簡単な処理で、図１〜図４によって説明した駆動波形の選択を実現することができる。
この場合、図１０におけるカウンタ３６がスタート信号ＳＴＡＲＴのカウント値をそのまま保持期間計測値として出力するか、クロック信号ＣＬＫをカウントしてそのカウント値をそのまま保持期間計測値として出力して、波形選択部３７のマイクロコンピュータがそれを予め設定された値と比較して、白表示又は黒表示の保持期間の長短を判別したり、保持期間の長さを３段階以上に判別して、選択する駆動波形の種類もそれに対応して増やすこともできる。
【００６０】
さらに、波形記憶・読出部３８の機能もそのマイクロコンピュータが行なうようにしたり、予め記憶した複数の駆動波形のデータを選択するのではなく、例えば図１１のフローチャートにおけるステップＳ２及びＳ４〜Ｓ６の判別結果によって、駆動波形の反転電圧と駆動電圧の極性、パルス幅、およびパルス高さ（電圧値）を演算によって決定して駆動波形ａ〜ｅのいずれかに相当するか、あるいはさらに細かく変化する駆動波形のデータを生成するようにしてもよい。
【００６１】
次に、この波形選択部３７を論理回路で構成し、それによって同様な駆動波形選択処理を実現する実施例を図１２によって説明する。
図１２に示す波形選択部は、それぞれ２入力のＡＮＤ回路４１〜４４，４６〜４９と、ＯＲ回路４５，５０によって構成され、ＡＮＤ回路４２は２つの入力がいずれも反転入力であり、ＡＮＤ回路４３，４４、４６，４８は一方の入力だけが反転入力である。また、ＯＲ回路５０には若干の遅延特性を持たせている。
【００６２】
この論理回路には常に、現表示データ部３２から現在表示中の表示データＤＡをＡＮＤ回路４１〜４４の一方の入力端子に、次表示データ部３３から次に表示する表示データＤＢをＡＮＤ回路４１〜４４の他方の入力端子に入力しており、また、カウンタ３６からの保持期間信号ＴｈをＡＮＤ回路４６〜４９の一方の入力にしている。なお、表示データＤＡ，ＤＢ及び保持期間信号Ｔｈは前述の実施例の場合と同じである。
【００６３】
そして、黒表示のままの場合は、ＤＡ＝ＤＢ＝１であるからＡＮＤ回路４１の出力が“１”になり、白表示のままの場合は、ＤＡ＝ＤＢ＝０であるから両方が反転入力のＡＮＤ回路４２の出力が“１”になり、ＡＮＤ回路４１と４２の出力を入力するＯＲ回路４５は、いずれか一方の入力が“１”になるので出力が“１”になり、これが波形ａの選択信号として出力される。このときは、ＡＮＤ回路４６〜４９の出力はいずれも“０”である。
【００６４】
表示が白から黒に変わる場合には、ＤＡ＝０、ＤＢ＝１であるから、ＤＡを反転して入力し、ＤＢはそのまま入力するＡＮＤ回路４３の出力が“１”になり、ＡＮＤ回路４６，４７の一方の入力を“１”にする。このとき、白保持期間が短く保持期間信号Ｔｈが“０”の場合は、それを反転して他方の入力とするＡＮＤ回路４６の出力が“１”になり、これが波形ｂの選択信号として出力される。白保持期間が長く保持期間信号Ｔｈが“１”の場合は、それをそのまま他方の入力とするＡＮＤ回路４７の出力が“１”になり、これが波形ｃの選択信号として出力される。
【００６５】
表示が黒から白に変わる場合には、ＤＡ＝１、ＤＢ＝０であるから、ＤＡをそのまま入力し、ＤＢは反転して入力するＡＮＤ回路４４の出力が“１”になり、ＡＮＤ回路４８，４９の一方の入力を“１”にする。このとき、白保持期間が短く保持期間信号Ｔｈが“０”の場合は、それを反転して他方の入力とするＡＮＤ回路４８の出力が“１”になり、これが波形ｄの選択信号として出力される。白保持期間が長く保持期間信号Ｔｈが“１”の場合は、それをそのまま他方の入力とするＡＮＤ回路４９の出力が“１”になり、これが波形ｅの選択信号として出力される。
【００６６】
また、ＡＮＤ回路４３，４４のいずれか一方の出力が“１”になったときは表示が変わるときなので、ＯＲ回路５０の出力が若干遅れて“１”になり、それがリセット信号Ｒｓとしてカウンタ３６のリセット端子に入力してカウンタ３６をリセットする。
このようにしても、図１〜図４によって説明した駆動波形ａ〜eの選択を実現することができる。表示データＤＡ又はＤＢが変化すると、それに応じて波形選択信号が変化する。
【００６７】
〔表示変化と保持期間計測の具体例〕
最後に、図７に示した表示パネル１０のように、セブンセグメントキャラクタによって数字や英字あるいは記号などを表示する表示パネルを用いたこの発明による表示装置における表示変化と保持期間計測の具体例を図１３によって説明する。
図１３において、表示パネルのセブンセグメントキャラクタが（１）に示す最初の表示状態から各表示周期ごとに（２），（３），・・・・（７）に示すように各セグメント０〜６の表示状態が順次変化し、数字の１〜７を順次表示したとする。
【００６８】
図１３の（１）では黒表示のセグメントは黒の欄に「１」を、白表示のセグメントには白の欄に「１」と記している。（２）〜（７）では表示状態が前回と同じセグメントは「変化なし」と記し、表示状態が白から黒に変わったセグメントには黒の欄にそれまでの白表示の保持回数を記し、表示状態が黒から白に変わったセグメントには白の欄にそれまでの黒表示の保持回数を記している。
したがって、黒又は白の表示が１回で反対の表示に変わったときの保持回数は「１」であり、黒又は白の表示が２回、３回、４回、５回継続した後に反対の表示に変わったときの保持回数は、それぞれ「２」、「３」、「４」、「５」である。これが、図１０のカウンタによるカウント値、すなわち保持期間の計測値に相当する。
【００６９】
そして、セグメントの表示状態が変わらない間はそのセグメントの電極には駆動波形ａによる０ｖの電圧を印加（電圧を印加しないことと同じ）し続ける。セグメントの表示状態が黒から白又は白から黒に変わるときには、上記保持回数が例えば「１」又は「２」であれば、通常の駆動波形ｂ又はｄによる反転電圧と駆動電圧をそのセグメントの電極に印加する。しかし、上記保持回数が「３」以上の場合には、この発明によりパルス幅あるいはパルス高さを修正した駆動波形ｃ又はｅによる反転電圧と駆動電圧をそのセグメントの電極に印加する。図１３において丸付き数字で示す回数がその場合である。
【００７０】
例えば、（４）でセグメント５の表示状態が白から黒に変わるが、それまでの白の保持回数が「３」なので駆動波形ｅを選択する。（５）でセグメント１の表示状態が黒から白に変わるが、それまでの黒の保持回数が「４」なので、やはり駆動波形ｅを選択する。
（７）では、セグメント５と６の表示状態が黒から白に変わるが、それまでの白の保持回数が「３」と「５」なので、いずれも駆動波形ｃを選択する。
このようにして、各セグメントにおける表示データの変化頻度の相違による白及び黒の表示濃度のバラツキを低減し、表示品質を常に良好に維持する。
【００７１】
なお、図７に示した表示パネル１０におけるセブンセグメントキャラクタＳＣの背景領域である周囲領域ＢＧは、白黒反転表示の切り替えを行わない限り、通常は長期間に亘ってその表示データが変化しないため、表示濃度が白又は黒の規定レベルから灰色レベル方向に徐々に変化し、セブンセグメントキャラクタＳＣとのコントラストが低下する傾向がある。
そこで、同じ表示状態が予め設定した期間以上継続した場合には、表示データが変化しなくても、そのセグメント電極（周囲領域の電極も含む）に所定パルス幅の駆動電圧を印加して、表示中の白又は黒の濃度レベルを規定レベルに戻すようにリフレッシュするとよい。
【００７２】
また、前述した実施の形態においては、表示データが変化しない期間は駆動波形ａにより駆動電圧と反転電圧をいずれも印加しなかったが、コントラストの低下を抑えるために、反転期間と駆動期間に、表示データが変化する場合の駆動電圧や反転電圧よりも遥かに短いパルス幅の電圧を印加するようにしてもよく、その場合にもこの発明適用することができる。但し、その場合には、ある画素の表示データが変化するときに、それまでの変化しなかった期間に応じた駆動電圧や反転電圧のパルス幅の変化あるいは電圧差αは、前述した各実施の形態の場合より小さくてよい。
【００７３】
この発明による表示装置に使用する表示パネルは、セブンセグメントキャラクタによって表示を行なうものに限るものではなく、共通電極に対向してドットマトリックス状の画素電極を設けて、任意の文字や図形等を表示できるようにしたものや、予め種々の形状のパターン電極を形成しておき、それらを適宜組み合わせて表示するものなど、画素となる電極の形状や配置、大きさなどは何等限定されない。
【００７４】
また、上述の説明では、この発明による表示装置で表示する表示データ及びその表示状態を、白と黒として説明したが、これは一般的な無彩色の白と黒に限らず、同系色あるいは異なる色相の明るい色と暗い色（ツートンカラー）、あるいは補色関係にある２色など、明確に区別ができて表示を行なうことができる２つの色であればよい。
その場合の表示パネルとしては、例えば図６に示したマイクロカプセル表示層１３のマイクロカプセル２０内に、その２つの色のそれぞれ正と負に帯電された帯電粒子を封入したものを使用すればよい。
【００７５】
また、この発明による電気泳動型の表示装置について説明したが、透明な分散媒の代わりに空気を用いたトナー型や電子粉流体型の表示装置にこの発明を適用することも可能である。
【産業上の利用可能性】
【００７６】
この発明による表示装置は、電気泳動型の種々の表示装置に利用でき、各表示画素（セグメント）における表示データの変化頻度の相違による表示濃度のバラツキを低減して、表示品質を常に良好に維持することができる。
この表示装置は、特に表示内容（情報）の変化頻度が比較的低い表示に適し、デジタル時計や携帯電話、携帯端末、電卓、電子辞書、その他各種電子機器のディスプレイ、さらに電子ブックや電子新聞、電子広告看板や案内表示板などにも利用できる。
【図面の簡単な説明】
【００７７】
【図１】この発明による表示装置により表示パネルの共通電極とセグメント電極とに印加する電圧の駆動波形の第１の波形例を示す図である。
【図２】同じくその第２の波形例を示す図である。
【図３】同じくその第３の波形例を示す図である。
【図４】同じくその第４の波形例を示す図である。
【図５】この発明の表示装置に使用する表示パネルの一部を模式的に示す断面図である。
【図６】同じくその表示原理を説明するための電気泳動表示素子の拡大断面図である。
【００７８】
【図７】数字等のキャラクタを表示する表示パネルの一例を示す平面図でる。
【図８】図７に示した表示パネルに数字「２」を表示した状態から数字「３」を表示する状態へ変化させる場合の説明図である。
【図９】この発明による表示装置の一実施形態の構成を示すブロック図である。
【図１０】図９に示した駆動回路を構成する各セグメントドライバの具体的な構成例を示すブロック図である。
【図１１】図１０における波形選択部の機能をマイクロコンピュータによるソフトウエア処理で実現する場合の例を示すフローチャートである。
【図１２】図１０における波形選択部の機能を論理回路によって実現する場合の例を示す論理回路図である。
【図１３】この発明による表示装置の表示パネルにおけるセブンセグメントキャラクタの表示変化と保持期間計測の具体例を説明するための説明図である。
【図１４】従来の電気泳動型の表示装置により表示パネルの共通電極とセグメント電極とに印加する電圧の駆動波形の例を示す図である。
【符号の説明】
【００７９】
１，１０：表示パネル      ２：駆動回路      ３：セグメントドライバ
１１：透明な樹脂基板      １２：共通電極（コモン電極）
１３：マイクロカプセル表示層      １４：接着剤層
１５：フレキシブルプリント基板      １６：セグメント電極    
２０：マイクロカプセル      ２１：カプセル殻      ２２：分散媒
２３：白色粒子      ２４：黒色粒子
３１：シフトレジスタ      ３２：現表示データ部      ３３：次表示データ部
３４：表示データ入力バッファ      ３５：波形データ生成部
３６：カウンタ（測定手段）      ３７：波形選択部      ３８：波形記憶・読出部
３９：駆動部（電圧波形生成部）      ４０：電源回路
４１〜４４，４６〜４９：ＡＮＤ回路      ４５，５０：ＯＲ回路
【００８０】
ＳＣ：セブンセグメントキャラクタ      ＢＧ：周囲領域（背景領域）
ＣＯＭ：共通電極      ＳＥＧ（ＳＥＧ０〜ＳＥＧ６）：セグメント電極
Ｔａ：反転期間      Ｔｂ：駆動期間      Ｔｃ：表示期間
Ｔｈ：保持期間信号      ａ，ｂ，ｃ，ｄ，ｅ：駆動波形
【図１】
2008158243.tif 000003
【図２】
2008158243.tif 000004
【図３】
2008158243.tif 000005
【図４】
2008158243.tif 000006
【図５】
2008158243.tif 000007
【図６】
2008158243.tif 000008
【図７】
2008158243.tif 000009
【図８】
2008158243.tif 000010
【図９】
2008158243.tif 000011
【図１０】
2008158243.tif 000012
【図１１】
2008158243.tif 000013
【図１２】
2008158243.tif 000014
【図１３】
2008158243.tif 000015
【図１４】
2008158243.tif 000016